(57)【特許請求の範囲】
【請求項１】
歯の咬み合わせ時に発生する咬合音を検出する咬合音検出部と、前記咬合音検出部によって検出された咬合音に基づいて前記歯の咬み合わせを解析する解析部とを備えた歯科診断装置であって、
前記咬合音検出部は、
前記歯に吸着する吸盤状の吸着部と、
前記吸着部に設けられた貫通孔に接続され、前記吸着部が前記歯に吸着できる程度の負圧に制御される中空状の通路部と、
前記吸着部に接続され、前記吸着部を介して前記咬合音を検出する検出部と、
を有することを特徴とする歯科診断装置。
【請求項２】
請求項１に記載の歯科診断装置であって、
前記解析部は、前記咬合音検出部により検出された咬合音の発生時間、振幅及び周波数の少なくとも一つに基づいて、正常な咬合接触か否かを判定することを特徴とする歯科診断装置。
【請求項３】
請求項１又は請求項２に記載の歯科診断装置であって、
前記咬合音検出部は、
前記通路部を負圧に制御するための真空ポンプと、
前記真空ポンプの動作を制御するレギュレータと、
を有することを特徴とする歯科診断装置。
【請求項４】
請求項３に記載の歯科診断装置であって、
前記通路部は、前記歯に発生する咬合音の伝送路を兼ねるものであり、
前記検出部は、前記通路部を伝送されてきた咬合音を検出することを特徴とする歯科診断装置。
【請求項５】
歯の咬み合わせ時に発生する咬合音を検出するための歯科診断プローブであって、
前記歯に吸着する吸盤状の吸着部と、
前記吸着部に設けられた貫通孔に接続され、前記吸着部が前記歯に吸着できる程度の負圧に制御される中空状の通路部と、
前記吸着部に接続され、前記吸着部を介して前記咬合音を検出する検出部と、
を有することを特徴とする歯科診断プローブ。
【請求項６】
請求項５に記載の歯科診断プローブであって、
前記通路部は、前記歯に発生する咬合音の伝送路を兼ねるものであり、
前記検出部は、前記通路部を伝送されてきた咬合音を検出することを特徴とする歯科診断プローブ。
【発明の詳細な説明】
【参照による取り込み】
【０００１】
本出願は、２０１２年４月２日に出願された日本特許出願特願２０１２−０８４３３９の優先権を主張し、その内容を参照することにより、本出願に取り込む。
【技術分野】
【０００２】
本発明は、歯科診断装置および歯科診断用プローブに関し、患者の歯の咬み合わせを評価するための技術に関する。
【背景技術】
【０００３】
歯科の診療において、患者の歯の咬み合わせ（噛み合わせ）を調整する際、調整対象となる歯の咬み合わせを正確に評価することが重要である。【０００４】
通常、歯の咬み合わせは、咬合紙と呼ばれる赤いカーボン紙を患者に噛ませることで評価される。しかしながら、咬合紙から取得される情報は、上下顎の歯の咬合接触点の位置情報等に限られる。そのため、実際の咬み合わせの調整は、患者の咬み合わせの感覚情報や歯科医師の手指の感覚等も総合して実施される。また、咬合紙を用いた手法以外にも、歯の咬み合わせを評価するための各種技術が知られている（非特許文献１、２参照）。【０００５】
非特許文献１には、左右の頬骨部分の皮膚上に、ヘッドセットに内蔵された加速度センサー又はマイクロフォンを装着し、左右の咬み合わせの強さを比較する技術が開示されている。また、非特許文献２には、歯に装着された加速度ピックアップを用いて、歯の咬み合わせを評価する技術が開示されている。【０００６】
また、Ｔｅｋｓｃａｎ社のＴ−Ｓｃａｎと呼ばれる装置では、厚さ１００μｍ程度の感圧フィルムを噛ませることによって咬合接触が解析される。さらに、ジーシー社のオクルーザーと呼ばれる装置では、デンタルプレスケールと呼ばれる専用の感圧フィルムを患者に噛ませて、この感圧フィルムの発色状態を計測することによって咬合接触が解析される。
【先行技術文献】
【非特許文献】
【０００７】
【非特許文献１】和久田 治美、清水 稔弘、伊藤 文隆、篠原 功、佐藤 清高、加来 哲、豊田 静夫、デンタル・サウンド・チェッカの臨床的応用について：多数歯欠損補綴物の咬合調整、九州歯科学会雑誌、36(5)、PP.848-854、1982年
【非特許文献２】吉田 真琴、佐久間 重光、伊藤 裕、藤井 義久、杉山 茂、増田 拓也、触診圧を利用した早期接触診査装置の開発：ピーク値ならびにピーク周波数について、愛知学院大学歯学会誌、40(4)、pp.521-527、2002年
【発明の概要】
【発明が解決しようとする課題】
【０００８】
しかしながら、上記の従来の技術では、歯の咬み合わせを正確に評価することができなかった。【０００９】
例えば、非特許文献１に開示された技術では、左右の咬み合わせの強さの差がある程度分かるだけで、咬み合わせの調整に対しては精度が不足していた。また例えば、非特許文献２に記載された技術では、加速度ピックアップのサイズが大きいため、臨床に用いられるには至らなかった。【００１０】
また、感圧フィルムを用いる方法では、厚みを有する感圧フィルムが上下顎の歯の間に介在することによって、咬合接触関係が変化するので、上顎の歯と下顎の歯の直接的な咬み合わせを正確に評価しているとはいえなかった。【００１１】
本発明は、上記の点に鑑みてなされたものであり、歯の咬み合わせを正確に評価できる歯科診断装置および歯科診断プローブを提供することを目的とする。
【課題を解決するための手段】
【００１２】
上記の目的を達成するために、本発明に係る歯科診断装置は、歯の咬み合わせ時に発生する咬合音を検出する咬合音検出部と、前記咬合音検出部によって検出された咬合音に基づいて前記歯の咬み合わせを解析する解析部とを備えた歯科診断装置であって、前記咬合音検出部は、前記歯に吸着する吸盤状の吸着部と、前記吸着部に設けられた貫通孔に接続され、前記吸着部が前記歯に吸着できる程度の負圧に制御される中空状の通路部と、前記吸着部に接続され、前記吸着部を介して前記咬合音を検出する検出部と、を有することを特徴とする。
【発明の効果】
【００１３】
本発明によれば、歯の咬み合わせを正確に評価することができる。
【図面の簡単な説明】
【００１４】
【図１】本実施形態に係る歯科診断装置の構成例を示す図である。
【図２】本実施形態に係る歯科診断プローブの構成例を示す図である。
【図３】本実施形態に係る歯科診断プローブの装着例を示す図である。
【図４】本実施形態に係る歯科診断プローブ装着用機器の構成例を示す図である。
【図５Ａ】本実施形態に係る解析部による解析結果の一例を示す図である。
【図５Ｂ】本実施形態に係る解析部による解析結果の一例を示す図である。
【図６】本実施形態に係る歯科診断装置の第１変形例を示す図である。
【図７】本実施形態に係る歯科診断装置の第２変形例を示す図である。
【発明を実施するための形態】
【００１５】
本技術は、歯の咬み合わせ時に発生する歯の接触音又は振動（以下、総称して単に「咬合音」ともいう。）を検出する咬合音検出部と、咬合音検出部によって検出された咬合音に基づいて歯の咬み合わせを解析する解析部とを備えた構成により、歯の咬み合わせを正確に評価するものである。以下、本技術の実施の形態を説明する。
【００１６】
［歯科診断装置の構成例］
図１は、本実施形態に係る歯科診断装置の構成例を示す図である。
【００１７】
図１に示すように、本実施形態に係る歯科診断装置１は、患者の歯の咬み合わせ時に発生する咬合音を検出する咬合音検出部１０と、咬合音検出部１０によって検出された咬合音に基づいて歯の咬み合わせを解析する解析部２０とを備える。なお、咬合音検出部１０は、歯科診断プローブ３０、レギュレータ１４及び真空ポンプ１５を有する。また、歯科診断プローブ３０は、吸盤１１、チューブ１２及びマイク１３を有する。
【００１８】
なお、図１では１つの歯科診断プローブ３０を例示しているが、歯科診断装置１は１又は複数の歯科診断プローブ３０を有するものとする。例えば、歯科診断装置１が１６個の歯科診断プローブ３０を有する場合、これら１６個の歯科診断プローブ３０の各々は、患者の上顎の各歯に取り付けられる。以下、歯科診断装置１の各構成要素について説明する。
【００１９】
吸盤１１は、患者の歯に吸着する曲面状の吸着面１１ａを有し、シリコーンゴム等の材料で構成される吸着部（吸着手段）である。吸盤１１の略中央部には、貫通孔１１ｂが形成されている。吸盤１１は、この貫通孔１１ｂを介してチューブ１２と接続される。
【００２０】
なお、吸盤１１の大きさや吸着面１１ａの曲径は、患者の歯の大小、曲率に応じて可変としてよい。また、吸盤１１は、部分的に異なる素材により構成してもよい。例えば、吸盤１１の中央側、すなわち貫通孔１１ｂ近辺を硬めの素材で構成し、外側を柔らかめの素材で構成することによって、歯に発生する咬合音がチューブ１２内に伝送しやすくなる。
【００２１】
チューブ１２は、吸盤１１に接続される中空円筒状の空気の通路部であり、シリコーンゴム等の材料で構成される。チューブ１２は、マイク１３に接続され、吸盤１１が吸着された歯に発生する咬合音をマイク１３に伝送する伝送路として機能する。また、チューブ１２は、途中で分岐する分岐部１２ｃを有する。分岐部１２ｃは、例えばチューブ１２の本体部分に対して小径の通路を構成する。チューブ１２の分岐部１２ｃは、レギュレータ１４を介して真空ポンプ１５に接続されている。そして、これらレギュレータ１４及び真空ポンプ１５によって、チューブ１２内の圧力は、吸盤１１が歯に吸着できる程度の負圧に制御される。そのため、チューブ１２は、吸盤１１を歯に吸着させる吸着制御手段としても機能する。
【００２２】
マイク１３は、チューブ１２を介して伝送されてきた咬合音、すなわちチューブ１２内の空気の振動を検出する検出部（検出手段）としての機能を有する。マイク１３は、図示しないバッテリに接続され、このバッテリによって動作する。
【００２３】
レギュレータ１４は、真空ポンプ１５の動作を制御する装置である。真空ポンプ１５は、チューブ１２内の空気圧を負圧にするための装置である。なお、チューブ１２内を絶対真空にすると、チューブ１２内を音が伝送しないため、チューブ１２内は、例えば大気圧と絶対真空の中間の圧力に制御される。
【００２４】
解析部２０は、咬合音検出部１０によって検出された咬合音に基づいて歯の咬み合わせを解析する。解析部２０は、例えば、マイク１３で検出された咬合音の電気信号の波形を表示するオシロスコープである。また解析部２０は、例えば、マイク１３で検出された咬合音の電気信号をデジタル化するＡ／Ｄ変換器及びＡ／Ｄ変換器によってデジタル化されたデータを解析する一般的なコンピュータ装置であってもよい。
【００２５】
以上のように、本実施形態に係る歯科診断装置１は、患者の歯の咬み合わせ時に発生する咬合音を検出する咬合音検出部１０と、咬合音検出部１０によって検出された咬合音に基づいて歯の咬み合わせを解析する解析部２０とを備えた簡易な構成により、患者の歯の咬み合わせ時に発生する咬合音に基づいて、正確に歯の咬み合わせを評価する。
【００２６】
［歯科診断プローブの構成］
図２は、本実施形態に係る歯科診断プローブの構成例を示す図である。図２では、図１の歯科診断プローブ３０を拡大してより具体的に示している。
【００２７】
図２に示す歯科診断プローブ３０において、チューブ１２は、吸盤１１が設けられる側である先端側のチューブ前半部１２Ａと、マイク１３が設けられる側である後側のチューブ後半部１２Ｂとからなる。チューブ前半部１２Ａは、チューブ後半部１２Ｂ側に向かって段階的に断面径が大きくなり、また、通路径（内径）も大きくなるよう構成している。なお、チューブ前半部１２Ａは、吸盤１１側に向かって次第に断面径が小さくなるテーパ状の形状であってもよい。
【００２８】
図２に示す例では、チューブ前半部１２Ａの断面径は３段階で変化する。１段階目、２段階目、３段階目の断面径は、それぞれ例えば約０．５ｍｍ、１ｍｍ、３ｍｍである。なお、チューブ前半部１２Ａの軸方向の長さは、例えば約２ｃｍである。一方、チューブ後半部１２Ｂの断面径、軸方向の長さは、それぞれ例えば約５ｍｍ、約３ｃｍである。また、吸盤１１は幅約２ｍｍ、高さ約５ｍｍである。なお、以上に示す各数値は一例であり、本発明はこれら各数値に限定されるものではない。
【００２９】
このようにチューブ１２の断面径を、チューブ１２の軸方向に沿って変化させることで、口腔内部では細径とし患者への負荷を軽減し、口腔外では太径とすることでチューブ１２内を負圧にするための時間を短縮化することができる。
【００３０】
以上に示す歯科診断プローブ３０では、範囲Ａで示される部分、すなわち吸盤１１及びチューブ前半部１２Ａが患者の口腔内に設置される。一方、範囲Ｂで示される部分、すなわちチューブ後半部１２Ｂ及びマイク１３は患者の口腔外に設置される。範囲Ａで示される部分はチューブ１２に対して着脱可能又は滅菌処理可能である。これにより、患者毎に調整範囲である範囲Ａのみを取り替えることによって利用可能であるとともに、衛生を確保することができる。また、範囲Ａ部分は前述の感圧フィルムよりも安価であるため、低コストに歯の咬み合わせを診断することができる。
【００３１】
なお、範囲Ａで示される部分を曲折可能にすることによって、吸盤１１の開口方向がチューブ１２に対して所定（例えば９０度）の角度を有するように構成することが好ましい。これにより、患者の各歯に歯科診断プローブ３０を取り付けることが可能になる。
【００３２】
［歯科診断プローブの装着例］
図３は、本実施形態に係る歯科診断プローブの装着例を示す図である。
【００３３】
図３では、歯科診断プローブ３０として、２個の歯科診断プローブ３０Ａ、３０Ｂを装着する例を示している。なお、実際の歯科診療では、例えば患者の上顎の歯全て、すなわち最大１６本の歯に歯科診断プローブ３０を装着させてよい。もちろん、下顎の歯に歯科診断プローブ３０を装着させてもよい。
【００３４】
図３に示すように、２個の歯科診断プローブ３０Ａ、３０Ｂを装着する場合、例えば各歯科診断プローブ３０Ａ、３０Ｂを隣り合う２つの歯に装着させる。これにより、解析対象の歯、及び、解析対象の歯に隣り合う歯についての咬合接触状態を解析することができる。また、それぞれ左右の対称位置に位置する２本の歯に装着させてもよい。この場合、解析対象の歯、及び、解析対象の歯に対して左右対称位置に位置する歯についての咬合接触状態の差異を解析することができる。
【００３５】
なお、３個の歯科診断プローブ３０を装着する場合、例えば、解析対象の歯と、解析対象の歯に隣り合う歯と、解析対象の歯に対して左右対称位置に位置する歯とに装着させる。これにより、解析対象の歯についての咬合接触状態をより適切に解析することができる。また、１個の歯科診断プローブ３０のみを装着させ、歯科診断プローブ３０が装着された歯自身の咬合滑走や咬合干渉等を解析することもできる。
【００３６】
［歯科診断プローブ装着用機器の構成例］
図４は、本実施形態に係る歯科診断プローブ装着用機器の構成例を示す図である。
【００３７】
図４では、実際の歯科診療において前述の歯科診断プローブ３０を装着するための歯科診療プローブ装着用機器４０の一例を示している。
【００３８】
図４に示す例では、歯科診断プローブ装着用機器４０は、患者の目周辺に装着するメガネ型フレーム４１と、メガネ型フレーム４１の下部に設けられる筐体である基部４２Ａ、４２Ｂとを有する。
【００３９】
基部４２Ａ、４２Ｂは下面が開口しており、これら基部４２Ａ、４２Ｂには、それぞれ最大８本の歯科診断プローブ３０が、吸盤１１が下側を向くような態様で配置される。なお、図４では、説明の便宜上、２個の歯科診断プローブ３０Ａ、３０Ｂを基部４２Ｂ内に配置した態様を示している。また、前述のように吸盤１１は、チューブ１２に対して所定（例えば９０度）の角度を有するように構成することが好ましい。
【００４０】
基部４２Ｂの側壁には、側壁孔４３、４４が設けられている。基部４２Ｂ内に配置された歯科診断プローブ３０Ａ、３０Ｂのマイク１３は、側壁孔４３を介して外部に設置される解析部２０に接続される。同様に、歯科診断プローブ３０Ａ、３０Ｂのチューブ１２は、側壁孔４４を介して外部に設置されるレギュレータ１４に接続されている。
【００４１】
このような歯科診断プローブ装着用機器４０を用いて診療を行う際、患者はメガネ型フレーム４１を目の周辺に装着し、歯科医は基部４２Ａ、４２Ｂから下方に延びた吸盤１１を患者の歯に装着する又は患者の歯に装着された吸盤１１を外す。これにより、歯科医は歯の咬み合わせを確認しながら患者の歯の治療を進めることが可能になる。
【００４２】
［解析部による解析結果の例］
図５Ａ及び図５Ｂは、本実施形態に係る解析部による解析結果の一例を示す図である。図５Ａは、正常な咬合接触時の咬合音の波形例を示す図である。図５Ｂは、異常な咬合接触時の咬合音の波形例を示す図である。
【００４３】
図５Ａ及び図５Ｂは、解析部２０がオシロスコープであり、且つ、２つの歯科診断プローブ３０をそれぞれ右側の前歯と左側の前歯とに装着させた場合に解析部２０によって検出される咬合音の波形を示している。図５Ａ及び図５Ｂにおいて、横軸は時間軸を、縦軸は咬合音の振幅を示している。
【００４４】
図５Ａに示すように、正常な咬合接触時には、右側の前歯の咬合音の発生時刻と、左側の前歯の咬合音の発生時刻とはほぼ同時である。すなわち、ほぼ同時に一定以上の大きさの振幅の波形が発生する。一方、図５Ｂに示すように、異常な咬合接触時には、右側の前歯の咬合音の発生時刻と、左側の前歯の咬合音の発生時刻とにずれが生じる。このように、咬合音の発生タイミング、すなわち一番最初に一定以上の大きさの振幅を有する波形が現れるタイミングによって、正常な咬合接触か異常な咬合接触かを判定することができる。
【００４５】
また、図５Ａに示すように、正常な咬合接触時には、右側の前歯の咬合音の発生期間と、左側の前歯の咬合音の発生期間とはほぼ同程度である。すなわち、所定の振幅又は周波数の波形の発生期間が同程度である。一方、図５Ｂに示すように、異常な咬合接触時には、右側の前歯の咬合音の発生期間と、左側の前歯の咬合音の発生期間との間にずれが生じる。図５Ｂに示す例では、右側の前歯において咬合音の低周波成分の発生期間が長くなっている。このように咬合音の発生期間によって、正常な咬合接触か異常な咬合接触かを判定することができる。
【００４６】
以上に示すように、咬合音の示す波形を解析することによって、正常な咬合接触か異常な咬合接触かを判定することができる。また、咬合音の示す波形を解析することによって、咬合干渉の解析にも応用することができる。図５Ａ及び図５Ｂに示す例では、図５Ｂの右側の前歯において咬合干渉が生じていると考えられる。このことは、振幅の大きい波形の発生期間が長いことや、低周波成分の発生期間が長いこと等から判断することが可能である。
【００４７】
なお、図５Ａ及び図５Ｂでは、２本の歯に歯科診断プローブ３０を装着した場合を例に説明してきたが、例えば上顎の全ての歯に歯科診断プローブ３０を装着してもよい。これにより、上顎の歯が下顎の歯に接触する順番を解析することが可能になり、例えば虫歯治療として歯冠修復物を被せる場合に、歯冠修復物の咬み合わせが高いか低いかを判定することもできる。
【００４８】
また、図５Ａ及び図５Ｂでは、解析部２０がオシロスコープである場合に、このオシロスコープに表示される咬合音の波形を基に歯科医が診断する場合を例に説明してきたが、解析部２０は、マイク１３（図１参照）で検出された咬合音の電気信号をデジタル化するＡ／Ｄ変換器及びＡ／Ｄ変換器によってデジタル化されたデータを解析する一般的なコンピュータ装置であってもよい。この場合、解析部２０は、咬合音の波形において一定以上の大きさの振幅を有する波形が現れるタイミングや、振幅、咬合音に起因する波形の発生期間又は発生した波形が減衰するまでの時間、周波数成分の相違等に応じて、正常な咬み合わせか異常な咬み合わせか及び各歯の咬合接触状態を解析することができる。
【００４９】
［歯科診断装置の第１変形例］
図６は、本実施形態に係る歯科診断装置の第１変形例を示す図である。ここでは図１を用いて説明した歯科診断装置１の第１変形例について説明する。
【００５０】
なお、第１変形例に係る歯科診断装置１Ａは、チューブ１２が２本のチューブ１２ａ、１２ｂからなる点において、図１の歯科診断装置１と異なる。図６では、図１の歯科診断装置１と同様の構成要素には同一の符号を付し、重複する説明については適宜省略する。
【００５１】
図６に示す吸盤１１は、患者の歯に吸着する曲面状の吸着面１１ａを有し、シリコーンゴム等の材料で構成される吸着部（吸着手段）である。吸盤１１の略中央部には、貫通孔１１ｂが形成されており、さらに貫通孔１１ｂの外側には貫通孔１１ｃが形成されている。吸盤１１は、一方の貫通孔１１ｂを介してチューブ１２ａと接続され、他方の貫通孔１１ｃを介してチューブ１２ｂと接続される。吸盤１１は、着脱可能又は滅菌処理可能である。なお、吸着面１１ａ上の貫通孔１１ｂの縁部には、この吸盤１１が取り付けられる歯の側に向かって突き出した突起を設けてもよい。このようにして歯と突起との間に密閉空間を作り出すことによって、吸盤１１にかかる陰圧を強化して吸着力を向上させた場合にも，咬合音伝導に必要なチューブ１２ｂ内の空気の存在を維持することができる。
【００５２】
チューブ１２ａは、吸盤１１に接続される中空円筒状の空気の通路部であり、シリコーンゴム等の材料で構成される。チューブ１２ａは、レギュレータ１４を介して真空ポンプ１５に接続されている。そして、これらレギュレータ１４及び真空ポンプ１５によって、チューブ１２ａ内の圧力は、吸盤１１が歯に吸着できる程度の負圧に制御される。そのため、チューブ１２ａは、吸盤１１を歯に吸着させる吸着制御手段としても機能する。
【００５３】
一方、チューブ１２ｂは、吸盤１１に接続される中空円筒状の管であり、シリコーンゴム等の材料で構成される。このチューブ１２ｂは、マイク１３に接続され、吸盤１１が吸着された歯に発生する咬合音をマイク１３に伝送する伝送路として機能する。
【００５４】
マイク１３は、チューブ１２ｂを介して伝送されてきた咬合音、すなわちチューブ１２ｂ内の空気の振動を検出する検出部（検出手段）としての機能を有する。マイク１３は、図示しないバッテリに接続され、このバッテリによって動作する。
【００５５】
レギュレータ１４は、真空ポンプ１５の動作を制御する装置である。真空ポンプ１５は、チューブ１２ａ内の空気圧を負圧にするための装置である。
【００５６】
以上に示すように、第１変形例に係る歯科診断装置１Ａは、図１の歯科診断装置１と異なり、チューブ１２ａとチューブ１２ｂの二本のチューブ１２を備えている。そのため、咬合音の検出と吸盤１１の歯への吸着とをそれぞれ独立して制御することができる。
【００５７】
［歯科診断装置の第２変形例］
図７は、本実施形態に係る歯科診断装置の第２変形例を示す図である。ここでは図６を用いて説明した歯科診断装置１Ａの変形例について説明する。
【００５８】
なお、第２変形例に係る歯科診断装置１Ｂは、チューブ１２ｂ及びマイク１３の代わりに振動センサ（加速度センサ）１６を設けている点において、図６の歯科診断装置１Ａと異なる。図７では、図１の歯科診断装置１及び図６の歯科診断装置１Ａと同様の構成要素には同一の符号を付し、重複する説明については適宜省略する。
【００５９】
図７に示す吸盤１１は、患者の歯に吸着する曲面状の吸着面１１ａを有し、シリコーンゴム等の材料で構成される吸着部（吸着手段）である。吸盤１１の略中央部には、貫通孔１１ｂが形成されている。吸盤１１は、貫通孔１１ｂを介してチューブ１２ａと接続される。吸盤１１は、着脱可能又は滅菌処理可能である。また、吸盤１１には吸盤１１の振動を検出する振動センサ１６が取り付けられている。
【００６０】
チューブ１２ａは、吸盤１１に接続される中空円筒状の空気の通路部であり、シリコーンゴム等の材料で構成される。チューブ１２ａは、レギュレータ１４を介して真空ポンプ１５に接続されている。そして、これらレギュレータ１４及び真空ポンプ１５によって、チューブ１２ａ内の圧力は、吸盤１１が歯に吸着できる程度の負圧に制御される。
【００６１】
レギュレータ１４は、真空ポンプ１５の動作を制御する装置である。真空ポンプ１５は、チューブ１２ａ内の空気圧を負圧にするための装置である。
【００６２】
以上に示すように、第２変形例に係る歯科診断装置１Ｂは、図６の歯科診断装置１Ａと異なり、チューブ１２ｂ及びマイク１３の代わりに振動センサ（加速度センサ）１６を設けている。そのため、第１変形例に係る歯科診断装置１Ａよりも簡易な構成で、咬合音の検出及び解析を行うことができる。
【００６３】
以上説明してきたように、本実施形態に係る歯科診断装置および歯科診断プローブによれば、厚みを有する感圧フィルムを上下顎の歯の間に介在させる必要がないため、実際の上下顎の歯の接触をありのままに評価及び診断することが可能である。具体的には、例えば実際の上下顎の歯の接触が発生する順番や強さならびに滑りの有無を個々の歯別に評価することができる。また、本実施形態に係る歯科診断装置および歯科診断プローブは、歯科治療として歯冠修復物を入れる際の咬み合わせの調整にも使用可能である。
【００６４】
以上、本発明を添付の図面を参照して詳細に説明したが、本発明はこのような具体的構成に限定されるものではなく、添付した請求の範囲の趣旨内における様々な変更及び同等の構成を含むものである。
【符号の説明】
【００６５】
１      歯科診断装置
１０    咬合音検出部
１１    吸盤（吸着部）
１１ａ  吸着面
１１ｂ  貫通孔
１２    チューブ（通路部）
１２ａ  チューブ（第１通路部）
１２ｂ  チューブ（第２通路部）
１３    マイク（検出部）
１４    レギュレータ
１５    真空ポンプ
１６    振動センサ（検出部）
２０    解析部
３０    歯科診断プローブ
【図１】
0006041358.tif 000002
【図２】
0006041358.tif 000003
【図３】
0006041358.tif 000004
【図４】
0006041358.tif 000005
【図５Ａ】
0006041358.tif 000006
【図５Ｂ】
0006041358.tif 000007
【図６】
0006041358.tif 000008
【図７】
0006041358.tif 000009